(57)【要約】【課題】給湯機器において、制御基板を故障またはメンテナンスのために交換した場合、設定していたデータや製品を使用していて得られたデータが失われ、再度手動で設定しなくてはならず、交換前の状態に戻すには多くの時間を要し、利便性に欠ける課題があった。【解決手段】交換した基板に復元指示を出す制御を付加させ、記憶元は指示受信で復元できる項目と内容を表示し、使い手に復元する項目の選択肢を提示し、必要な項目の復元をしてもらうことで、交換前の状態に戻す時間の短縮と不必要な項目の復元を防ぐ利便性を持ち、上記課題を解決できる。【選択図】図３
2011158167.tif 000002
【特許請求の範囲】
【請求項１】
読み書き可能な記憶手段と、接続される機器との通信をする伝送部と、機器の設定データや情報を表示する表示部を備え、前記記憶手段に前記設定データをバックアップし、記憶手段を含む基板を交換時に交換した基板にて復元開始を判定し復元指示の送信を実施し、記憶元は復元指示を受信してバックアップ情報の有無を判定後に、復元を行なうか否かの確認操作画面と復元可能な項目を前記表示部に表示し、使い手が復元実行を選択すると復元動作を実行することを特徴とする貯湯式給湯機。
【請求項２】
複数個記憶する機器が接続されている場合に復元動作を行う機器を限定し、使用しない機器の操作抑制と表示による報知を行う請求項１に記載の貯湯式給湯機。
【発明の詳細な説明】
【技術分野】
【０００１】
本発明は、貯湯式給湯機において、機器の設定データのバックアップおよびデータ復元制御に関するものである。
【背景技術】
【０００２】
従来の空気調和機等の制御システムにおける設定データの復元情報の記憶方法としては、特許文献１のように機器に記憶手段を設け、復元操作としては図４のように各伝送部を用いて記憶してる情報を復元要求を出したアドレスの他機器へ送信し復元させている。
【先行技術文献】
【特許文献】
【０００３】
【特許文献１】特開２００５−３０８２５４号公報
【発明の概要】
【発明が解決しようとする課題】
【０００４】
しかしながら前記従来の構成では、復元操作は使い始めの初期状態にリセットするか、重要な情報をバックアップし、複数つながっている機器の一つの情報が消失した場合に消失していない機器の情報を与えることで復元をすることの二つが挙げられる。後者の場合について、前記従来の構成では、復元操作は他機器が記憶している情報と自機器の情報が異なっているとき、復元を行うかを選択できる構成であるが、判定を行うために各機器の情報を取得しなくてはいけないため伝送部の処理と通信時間を多く要している。また、復元操作中は、復元に関係のない機器の動作を抑制することで伝送部を復元操作のみに使用できるように配慮することも必要である。また、機器が復元をするときは、全ての情報を書き換えていたが、これでは不要な情報も送信している可能性があった。
【０００５】
本発明は、前記従来の課題を解決するもので、基板の交換時に設定および情報を交換前の状態に復元する時に、復元にかかる時間の短縮と利便性を向上させることを目的とする。
【課題を解決するための手段】
【０００６】
前記従来の課題を解決するために、本発明の貯湯式給湯機は、メンテナンス等や基板交換時に、交換した基板で復元できるかを判定し、復元操作を行う指示を出し、受け取った機器にバックアップ情報があるとき、開始するかを選択する構成とすることで伝送部の処理を軽減できる。また、復元操作中は対象外の機器を使用不可にすることで伝送部への負担を軽減する。また、復元する情報を画面表示、選択できる構成とすることで利便性も向上させる。
【発明の効果】
【０００７】
本発明の貯湯式給湯機は、給湯機器の基板の交換時に記憶手段が記憶している設定および情報を対象の制御基板に送信することで交換前の状態に復元することが可能であり、また復元する項目を選択できることで復元にかかる時間の短縮と利便性を向上させることができる。
【図面の簡単な説明】
【０００８】
【図１】本発明の実施の形態１における給湯機の回路構成図
【図２】本発明の実施の形態１における貯湯ユニットおよびヒートポンプユニットの復元動作シーケンスのフローチャート
【図３】本発明の実施の形態１における給湯リモコンの復元動作シーケンスのフローチャート
【図４】従来の復元動作シーケンスのフローチャート
【発明を実施するための形態】
【０００９】
第１の発明は、給湯機器の設定および情報を各機器の記憶手段が記憶しておくことにより、制御基板の交換時に交換対象の基板から復元指示を各機器に伝送部を用いて送信し、受信した機器が記憶手段に情報があるかを判定し、ありなら表示部に復元項目と情報を表示し、使い手に操作部によって選択してもらい、選択完了で開始操作によって復元を開始し、記憶している設定および情報を対象の制御基板に送信することで交換前の状態に復元することが可能である。
【００１０】
第２の発明は、記憶手段を搭載している機器が複数個接続されている場合、復元動作に使用する機器を限定し、復元に使用しない機器を操作禁止にすることで復元の最中に伝送部にかかる負荷を低減させ、表示部に復元のため操作不可能の報知を実施させることで、復元を最適に完了させる。また、復元が完了したことを確実に報知するために、画面表示確認と完了操作を使い手にしていただき、完了操作によって操作禁止の機器の解除を行う構成とすることで確実に使い手に伝えることができ、不快感の低減ができる。
【００１１】
（実施の形態１）
給湯機として、図１の回路構成図に示すように、熱交換器を備えたヒートポンプユニット１と、お湯を貯湯しておく貯湯ユニット２と、給湯リモコン３から構成されており、ヒートポンプユニット−貯湯ユニット間、貯湯ユニット給湯リモコン間を通信線でつなぎ情報を共有している。また、給湯リモコンについては、電源供給を貯湯ユニットから行って動作し、ヒートポンプユニット、貯湯ユニット、給湯リモコンには、それぞれ制御基板が内蔵されており、電源供給され制御を開始する。
【００１２】
図２は、本発明の実施の形態１における貯湯ユニットおよびヒートポンプユニットの復元動作シーケンスのフローチャートであり、これを用いて貯湯ユニットおよびヒートポンプユニットの復元制御動作を説明する。
【００１３】
１Ｂにおいて、電源供給されたとき、ヒートポンプユニットおよび貯湯ユニットは、２Ｂの復元動作を行うことができる制御基板かを判定する。復元動作を行える制御基板であるとき、３Ｂの給湯リモコンに復元動作要求を送信する。復元動作を行えない制御基板であると判定したときは、７Ｂの試運転が可能かどうかを判定する。
【００１４】
４Ｂにて、復元動作を行うかどうかの情報を給湯リモコンより受信し、復元動作可能かつ復元動作開始情報ならば５Ｂに遷移する。５Ｂにて復元動作を行い、復元動作が完了したかを６Ｂにて判定する。復元動作が完了していないとき、５Ｂに戻り再度判定を行う。復元動作が完了したとき、９Ｂの復元動作完了情報を更新し、通常制御遷移情報と合わせて給湯リモコンに送信する。
【００１５】
給湯リモコンから復元動作不可情報を受信した時、７Ｂの試運転を行う制御基板であるかを判定する。試運転可能な制御基板であると判定したとき、８Ｂの試運転可能要求の情報を給湯リモコンに送信する。試運転を行わない制御基板と判定したとき、１１Ｂの通常制御への遷移要求の情報を給湯リモコンに送信する。試運転が完了したとき、１０Ｂの試運転完了情報および通常遷移情報を給湯リモコンに送信する。復元動作中に電源供給がストップしても、９Ｂの復元動作完了の情報を更新しない限り、次の電源供給の際、給湯リモコンへ復元動作要求の情報を送信する。通常制御遷移情報を送信した後、１２Ｂの通常制御へ遷移する。
【００１６】
図３は、本発明の実施の形態１における給湯リモコンの復元動作シーケンスのフローチャートであり、これを用いて給湯リモコンの復元制御動作を説明する。
【００１７】
１Ｃにおいて、電源投入後、要求情報を受信した時、１５Ｃで優先順位の高い給湯リモコンを決定する。給湯リモコンは受信した要求によって、遷移を決定する。２Ｃにおいて、復元動作要求を受信したとき、３Ｃの給湯リモコンがヒートポンプユニットもしくは貯湯ユニットの復元情報を記憶しているかを判定する。また、優先順位の低いリモコンは優先順位の高いリモコンへ影響のない制御へ遷移する。
【００１８】
復元する情報を持っていると判定したとき、４Ｃの復元動作判定画面を表示し、復元動作を行うかどうかの報知を行う。また、４Ｃにて復元する内容を表示する。３Ｃにおいて、復元させる情報がないとき、６Ｃの復元動作不可情報を送信する。５Ｃにて、復元動作をするかどうかの判定を行い、使い手が復元動作を行う選択をした時、７Ｃの復元動作を開始し、復元開始、復元動作中を報知する。
【００１９】
５Ｃにて、使い手が復元動作を行わない選択をした場合、６Ｃに遷移する。復元動作が完了した情報が来たかを８Ｃにて判定し、情報を未受信の時は復元中の報知を継続する。ヒートポンプまたは貯湯ユニットで復元動作が完了したときに送られてくる通常制御への遷移要求の情報を受信したとき、９Ｃの復元動作完了の報知を行う。復元動作完了の報知が完了したかを１０Ｃにて判定し、未完了の時は９Ｃの復元完了報知を継続する。復元動作完了報知が完了したとき、１８Ｃの復元動作完了の情報を送信し、すべての給湯リモコンは通常制御へ遷移する。
【００２０】
１６Ｃにて通常制御遷移情報受信済みかを判定する。通常制御遷移情報を受信済みであれば、１４Ｃに遷移する。未受信の時、１７Ｃの通常制御遷移情報を要求を送信する。１１Ｃにて試運転要求の情報を受信したかどうかの判定を行い、試運転要求ならば１２Ｃに遷移し、試運転を開始および試運転中を報知する。１３Ｃにて試運転が完了したかを判定し、未完了ならば１２Ｃへ戻り、報知を行う。試運転が完了したならば１６Ｃへ遷移する。通常制御への遷移要求の情報を受信したときは１４Ｃの通常制御へ遷移する。
【産業上の利用可能性】
【００２１】
本発明に係る貯湯式給湯機は、一体型や分離型、直接出湯型等、各種ヒートポンプ給湯機に適用できる。
【符号の説明】
【００２２】
１  ヒートポンプユニット
２  貯湯ユニット
３  給湯機リモコン
【図１】
2011158167.tif 000003
【図２】
2011158167.tif 000004
【図３】
2011158167.tif 000005
【図４】
2011158167.tif 000006